(57)【要約】  【課題】  本発明は、装飾性及び耐久性に優れたクロゼット収納具及び取付構造を提供すること。【解決手段】  上方部に装着された吊レール１５に懸架され左右に移動して開閉する化粧部材１１、２２を有する収納具であって、  前記収納具は、略中央部ないし中央端部において折れ曲り、該略中央部及び中央端部には、前記吊レール１５に懸架されない状態で左右に移動して、前記化粧部材１１、２２を開閉するに当たり略中央部において前方側に対して折れ曲り、  前記収納具は、上方部において左右に移動するランナー１３を間欠的に吊レール１５に配設したことを特徴とするクロゼット収納具１、２０。【選択図】  図１
2005054521.tif 000002
【特許請求の範囲】
【請求項１】
上方部に装着された吊レールに懸架され左右に移動して開閉する化粧部材を有する収納具であって、
前記収納具は、略中央部ないし中央端部において折れ曲がり、該略中央部及び中央端部には前記吊レールに懸架されない状態で左右に移動して、前記化粧部材を開閉するに当たり略中央部において前方側に対して折れ曲り、
前記収納具は、上方部において左右に移動するランナーを間欠的に吊レールに配設したことを特徴とするクロゼット収納具。
【請求項２】
化粧部材は、その両端部及び折曲げ両端部側面において、着脱自在な磁製連結体を有することを特徴とする請求項１に記載のクロゼット収納具。
【請求項３】
磁製連結体は、両端部、折曲げ両端側面において間欠的にかつ対向面で化粧部材の開閉時において着脱自在に取付装着されていることを特徴とする請求項１又は請求項２に記載のクロゼット収納具。
【請求項４】
カーテンは、抗菌処理、静電気帯電防止処理、防炎処理、形状記憶処理のいずれか１種又は１種以上の加工処理が施されていることを特徴とする請求項１、請求項２又は請求項３に記載のクロゼット収納具。
【請求項５】
化粧部材は、フラッシュドア、ハニカムコアドア、化粧合板、或いはドレープ、プリント、無地パイル布、ケースメント、レース、ボイルから選ばれた１種又は１種以上のカーテンからなることを特徴とするクロゼット収納具の取付構造。
【発明の詳細な説明】
【技術分野】
【０００１】
本発明は、装飾性及び耐久性に優れたクロゼット収納具及びその取付構造に関するものである。
【背景技術】
【０００２】
特許文献１によれば、指の挟み込みをなくして円滑な開閉操作が可能で、損傷防止を目的とする「折り戸」が提案されている。
【０００３】
また、非特許文献２によれば、図６に示すごとく、「伸縮性可能ドア」が開示されている。
【０００４】
一方、非特許文献３によれば、窓枠近傍又はドア枠内９８に通常のカーテン９６が開示されている。これは、カーテンレール９７にカーテン９６がフックを介して懸架されたものが開示されている。
【０００５】
また、非特許文献４によれば、図８に示すごとく、「クロゼット」９が、観音開きの折れ扉９４、９４を有し、本体９４内部には洋服９２をハンガー９３に懸架しているものが開示されている。
【特許文献１】特開平９−３２４２８号公報
【非特許文献２】「商品大辞典」  東洋経済発行
【非特許文献３】「建築大事典」（普及版）  株式会社彰国社発行
【非特許文献４】「建築現場実用語辞典」  株式会社井上書院発行
【発明の開示】
【発明が解決しようとする課題】
【０００６】
しかしながら、特許文献１によれば、家具において、「折り戸」の一端部又は両端部は、枠に取付装着されたものである。
【０００７】
そのため、折り戸の開閉時に一定の空間部を必要とする。
【０００８】
また、開閉時に指先や手に大きな力の負担を生じる複雑な形状や構造を呈している。
【０００９】
非特許文献２に開示された「伸縮性可能ドア」８は、その開閉時に、少なくとも矢印で示した一定のスペースを必要とするものである。
【００１０】
そのため、「クローゼト」などのように、本体内部において、洋服などを収納するもの（図８参照）には不適当なものである。
【００１１】
一方、非特許文献３に開示された図７に示すカーテン９６では、玄関や応接間のごとき、接客用空間においては、飾装的に劣り、風や手で簡単に開閉され、クロゼット内の洋服などが簡単に露見してしまう問題点がある。
【００１２】
また、一般に布が薄いカーテン９６では耐久性が優れない場合がある。
【００１３】
他方、非特許文献４に開示された「クロゼット」９のドア９４、９４であっては、横幅方向のサイズを大きくすると、その適用に限界を生じる問題がある（図２参照）。
【００１４】
たとえ問題を解決することが出来たとしても、その両端部において、ドア９４、９４が本体枠９４に固定されておれば、ドア開閉時に開放したドアが通路を阻害したり、外観に優れない問題点がある。
【００１５】
そこで、本発明は、前記従来の技術の問題点に鑑みてなされたものであり、本発明が解決しようとする課題は、「開き戸」と「引き戸」との両方の利点を有し、更に「折り戸」の全体としての数を増大（拡大）させて、横方向のサイズの大きなクロゼットばかりでなく、狭い開口部にも適用できるクロゼット収納具及びその取付構造を提供しようとするものである。
【課題を解決するための手段】
【００１６】
上記課題を解決するために、本発明が採った手段は、請求項１〜請求項５に記載された通りのものである。
【００１７】
なお、本発明を具体的に説明するために、実施例において使用する図面の符号を用いて、以下に説明する。
【００１８】
まず、請求項に記載された発明が採った手段は、上方部に装着された吊レール１５に懸架され左右に移動して開閉する化粧部材１１、２２を有する収納具であって、
前記収納具は、略中央部ないし中央端部において折れ曲り、該略中央部及び中央端部には前記吊レール１５に懸架されていない状態で左右に移動して、前記化粧部材１１、２２を開閉するに当たり略中央部において前方側に対して折れ曲り、
前記収納具は、上方部において左右に移動するランナー１３を間欠的に吊レール１５に配設したことを特徴とするクロゼット収納具１を提供しようとするものである。
【００１９】
これにより、装飾性及び耐久性、耐候性、寸法安定性、ドレープ性、難燃性、遮光性、断熱性、抗菌性、消毒性、防水性などの諸物性に優れたクロゼット収納具１及びその取付構造を提供することが出来る。
【００２０】
次に、請求項２に記載された発明が採った手段は、化粧部材１１、２２は、その両端部及び折曲げ両端側面において、着脱自在な磁製連結体１７を有することを特徴とするクロゼット収納具１及びその取付構造を提供しようとするものである。
【００２１】
これにより、２枚１組に開閉可能に多数に分割されたドア構成部材を磁製連結体により着脱自在に開閉することが出来る。
【００２２】
そして、請求項３に記載された発明が採った手段は、フラッシュドア、ハニカムコアドア、化粧合板、或いは、ドレープ、プリント布、無地パイル布、ケースメント、レース、ボイルから選ばれた１種又は１種以上のカーテン２からなることを特徴とするクロゼット収納具１の取付構造。
【００２３】
これにより、従来のクロゼット（図８参照）のごとく、クロゼット扉が木製のフラッシュドア、ハニカムコアドア、化粧合板などに限定されることなく、各種の布や織物の特性を活かしたカーテン２をもクロゼット扉とすることが出来るクロゼット収納具２０及びその取付構造を提供することが出来る。
【００２４】
一方、請求項４に記載された発明が採った手段は、磁製連結体１７は、両端部、折曲げ両端側面において間欠的にかつ対向面で化粧部材１１、２２の開閉時において着脱自在に取付装着されていることを特徴とするクロゼット収納具１及び２０提供するものである。
【００２５】
これにより、２枚１組に開閉可能に多数に分割されたドア構成部材を磁製連結体１７により、迅速容易に着脱自在に開閉することが出来るクロゼット収納具１の取付構造を提供することが出来る。
【００２６】
他方、請求項５に記載された発明が採った手段は、カーテン２は、抗菌処理、静電気帯電防止、防炎処理、形状記憶処理のいずれか１種又は１種以上の加工処理が施されていることを特徴とするクロゼット収納具１、２０を提供するものである。
【００２７】
これにより、クロゼット収納具１、２０内の洋服や衣服ばかりではなく、クロゼット収納具１、２０を使用する周囲の環境をも好ましくすると共に、使用し易いカーテン２からなるクロゼット収納具１、２０を提供することが出来る。
【発明の効果】
【００２８】
本発明は、請求項１〜請求項５に記載された発明により、構成されている。そのため、下記に示すような諸々の効果を奏するものである。
【００２９】
まず、請求項１に記載された発明によれば、装飾性及び耐久性、耐候性、寸法安定性、ドレープ性、難燃性、遮音性、抗菌性、消毒性、防水性などの諸物性に優れたクロゼット収納具１、２０及びその取付構造を提供することが出来る。
【００３０】
次に、請求項２及び請求項４に記載された発明によれば、２枚１組に開閉（セパレート）可能に多数分割されたドア構成部材を磁製連結体１７により着脱自在に開閉することが出来る。
【００３１】
また、請求項３に記載された発明によれば、従来のクロゼット（図８参照）のごとく、クロゼット扉９が木製のフラッシュドア、ハニカムコアドア、化粧合板などに限定されることなく、各種の布や織物の特性を活かしたカーテン２をも素材とするクロゼット扉を構成したクロゼット収納具１、２０及びその取付構造を提供することが出来る。
【００３２】
そして、請求項５に記載された発明によれば、クロゼット収納具１、２０内の洋服や衣服ばかりではなく、クロゼット収納具１、２０を使用する環境をも好ましくすると共に、使用し易いカーテン２からなるクロゼット収納具２０を提供することが出来る。
【００３３】
以上のごとく、本発明によれば装飾性及び耐久性に優れ、反り歪みの少ない扉体を有するクロゼット収納具１、２０及びその取付構造を提供することが出来る。
【発明を実施するための最良の形態】
【００３４】
本発明の実施例１〜実施例３及び請求項１〜請求項５に記載された発明に対応させながら、特に実施例において使用する図面に基づいて、本発明の各種態様を具体的に説明する。
【００３５】
まず、図１は、実施例１に係るクロゼット収納具１の斜視図である。このクロゼット収納具１は、上方部に装着された吊レール１５に懸架され左右に移動して開閉する化粧部材１１、１１を有する。これは請求項１の前段の記載に対応するものである。
【００３６】
上記化粧部材１１、１１は、例えばフラッシュドア、ハニカムコアドア、化粧合板よりなる。フラッシュドアとしては、芯材の上に接着剤を介して基板を形成し、該基板上にメラミン樹脂化粧板やジアリルフタレート樹脂化粧板又は突板を接着し、芯材と基板とにより囲まれる部分には中空部を有するものがある。
【００３７】
これにより、軽量で比較的簡単な構造のクロゼット用のドアを得ることが出来る。
【００３８】
次に、ハニカムコアドアとしては、例えば蜂の巣状に配設された「コルゲート」と称する「連続した波形状の断面」を有するハニカム構造体を芯材（コア）とするドアがある。
【００３９】
これにより、軽量で圧縮強度、吸音声、遮音性に優れ、独立気泡を有するため、ドア内での水分や熱の移動が少なく、反りや歪れの発生の少ないドアを得ることが出来る。
【００４０】
そして、前記化粧合板としては、例えば寸法安定性が優れた集成材を芯材とするランバー化粧合板がある。
【００４１】
これにより、寸法変化率が小さく、反りや歪れの発生が少ないドアの素材として最適のランバー合板を基材とする硬質塩化ビニル樹脂やジアリルフタレート樹脂からなる印刷化粧シートを使用したクロゼット用化粧合板を得ることが出来る。
【００４２】
前記吊レール１５としては、例えば図３の上段左図に示すごとく、ダブルブラケット３１に取付装着される２本平行レール３２がある。また、前記吊レール１５は、図１に示すごとく、断面がコ字状の１本レールがある。これと対応して床板レール１６もある。
【００４３】
次に、図１に示すごとく、化粧部材１１、１１は２枚１組でその略中央部において、ヒンジとしてのピアノ蝶番１２を有する。この蝶番１２は、スクリューねじやタッピングねじ１２１を用いて、化粧部材１１の側面端部において取付け固定される。
【００４４】
また、上記ピアノ蝶番１２は、図３の右下図面に示すごとく、ドアの縦寸法と略同じ長さを有するピアノ蝶番１２を使用することが出来る。
【００４５】
これにより、図３の右上図面に示すごとく、２枚１組の化粧部材１１、１１は、開閉時において左右に自在に折れることが出来る。なお、図３の右上図面はドア上端部を上方部より見た平面図である。
【００４６】
そして、収納具は、上方部において左右に移動するランナー１３（図１参照）、ランナー１３０（図４、図５参照）を間欠的に吊レール１５に配設してある。これは、請求項１の後段に記載された内容に対応するものである。
【００４７】
ここで、上記ランナー３４としては、例えば図３の左下段図に示す、上方部においてコ字状の吊レール３４１内に滑車３４２を有し、かつ下方部においてフック３４３を有するカーテン用の移動用滑車兼布係止用フックを使用することが出来る。これにより、比較的簡単な構造のランナー１３を得ることが出来る。このランナー３４は、図３の左下段図に示すごとく、収納具の開口天井部に取付装着される「天井づけブラケット」３３を介して取付けられる。
【００４８】
一方、化粧部材１１、２２の中央端部垂直方向の略中央部においては、フラット把手、モール把手、舟底形把手、利休形把手、ちり出し把手、丸形把手などの各種形状の取手が配設される。
【００４９】
これにより、クロゼット用ドアの開閉が自由自在になり、磁製連結体１７が着脱自在になる。
【００５０】
磁製連結体１７（図示略）としては、プラス極とマイナス極の各一対の極板が相互に磁力により着脱自在に連結分離するよう配設される。この磁製連結体１７は、マグネットキャチとも称され、磁製鋼、磁製酸化鉄、モリブデン硫化物、希土類磁製イオン含有ロジウムホウ化物よりなる扁平体、凹凸体、係止鍵状体などにより構成される。
【００５１】
本発明において、「クロゼット」とは、非特許文献３及び特許文献４によれば、「本来、押入れ、戸棚小部屋の意味で、欧米においては寝室に付随して衣装用の小部屋として作られる。我国においては、格納に似た部屋から今日においては、寝室や居間などの壁面に置かれたり、造り付けとして主に洋服や各種衣服用のハンガーを有する「戸棚」又は「家具」という意味に用いられている。
【００５２】
また、前記収納具としては、略中央部ないし中央端部において折れ曲り、該略中央部及び中央端部には前記吊レールに懸架されていない状態で左右に移動して前記化粧部材２２を開閉するに当たり、略中央部において前方側に対して折れ曲り、伸縮自在なカーテン２を使用したクロゼット用ドアを用いることが出来る。
【００５３】
上記カーテン２としては、図４及び図５に示すごとく、各種のレザーや布類が用いられる。
【００５４】
レザーは、各種の布地の表面にプラスチック層、例えば塩化ビニル樹脂やウレタン樹脂を被覆したもので、例えばいすなどの家具やアコーディオンカーテン（図６参照）などにも用いられる。
【００５５】
本発明においては、化粧部材２２は、比較的厚地のドレープ、プリント布、無地パイル布、ケースメント、レース、ボイルから選ばれた１種又は１種以上の化学繊維織物、天然繊維織物、例えば靭皮繊維や葉脈繊維などを使用することが出来る。
【００５６】
上記化学繊維としては、例えば再生繊維のレーヨン、ポリエステル繊維、アクリル繊維が主流であり、この他にもナイロン繊維（登録商標）、ビニリデン繊維、ポリ塩化ビニル繊維、ビニロン繊維、ウレタン繊維、エチレンカーボネート繊維がある。
【００５７】
また、天然繊維としては、黄麻、亜麻、大麻、苧麻、ラミー麻などの靭皮繊維の他に、マニラ麻、ザイザル麻、果実繊維（例えばビンロウジュ、ヤシ）などがある。
【００５８】
その他にも、炭素繊維、ガラス繊維、金属繊維などが耐熱性、外観テクスチャなどの機能向上のために使用される。また、形態安定性の保持や風合いの調整には、熱セットや各種の樹脂加工が施される。
【００５９】
また、「ドレープ」としては、厚地で重量感をもたせたカーテン２のことで平織、綾織、ゴブラン織、ふくれ織、どんす織などがある。そして、各種生地に色柄をスクリーン印刷やローラプリントとして、冬季の椿、春季のチューリップや桜、夏季の朝顔やひまわり、秋季のもみじやききょうなどの花柄などをプリントして季節感やキャラクター性をもたせることが出来る。
【００６０】
一方、２種以上の長繊維を「たて糸」と「よこ糸」の一方又は両方を異にした「混用織物」を採用することにより通気性や光沢差によるファンシー効果をもたせることも出来る。
【００６１】
他方、吸湿性、保温性、不燃性、遮音性、吸音声、断熱性をもたせるために、上記例示の無機繊維を混合使用することも出来る。
【００６２】
そして、ヒノキの香りをもつ「ヒノキオール」、抗菌成分である「孟宗竹」よりエチノール抽出した「キノン誘導体」や「カラシやワサビ」から製油された「シニグニン」（グリコシノレート配糖体）などを、上記各種の繊維の原料となる合成樹脂に「ねり込んだ特殊な繊維」を使用して「抗菌カーテン」や「香りをもつカーテン」をつくることが出来る。
【００６３】
その他、「ケースメント」と称する透かし調の織物やレース又はボイルなどの組織間隙が大きく、軽い薄地たてラッセル織物を間欠的に使用することも出来る。また、「たて糸」に上記例示の自然繊維で伸張特性をもたせ、「よこ糸」に伸縮性のあるストレッチウレタン繊維又はスパンレーヨン織物を用いた混紡繊維も採用することが出来る。
【００６４】
以上のごとく諸機能を有する素材を用いたクロゼット収納具１、２０及びその取付構造については、下記の実施例１〜３において、具体的に説明する。以下に、本発明の好ましい実施例について図面を用いて説明する。なお、実施例１〜３は、本発明の一実施態様であって、これらに拘束されるものではなく、更に変形や改良も可能である。
【実施例１】
【００６５】
本例は、図１〜図３に示すごとく、化粧部材１１としてハニカムコアドアを用いたクロゼット収納具１及びその取付構造を提供するものである。
【００６６】
図１及び図３に示すごとく、一対の化粧部材１１を有する扉体をピアノ蝶番１２を使用して２枚１組の連結したセパレートタイプのクロゼット扉を構成する。
【００６７】
扉体の原料としては、寸法安定性に優れた集成材、ランバー合板、檜製の芯材（コア）を使用する。縦桟、横桟、中央桟は集成材からなり、表裏の基板はランバー合板を使用する。そして、表面の化粧材としては、硬質塩化ビニルプリント板に木目模様を有するものを使用し、裏地材として人造合成皮革又は塩化ビニルレザーを使用する。また、クロゼット本体は、杉や檜を使用した。
【００６８】
ここで注目すべきことは、図１に示すごとく、ランナー１３としての移動回転キャスターの滑動部分及び吊レール１５及び床上レール１６の内側には、耐摩耗性皮膜、摺動円滑性皮膜、例えばタルク（酸化チタン）、炭化珪素、珪素土微粉を混入したウレタン樹脂を塗布してあることである。これにより、摺動性や耐摩耗性などが向上したクロゼット用ドアを得ることが出来る。
【００６９】
そして、化粧部材１１には、その両端部及び折曲げ両端側面において、着脱自在な磁製連結体１７としての「マグネットキャッチ」を使用している。これにより「マグネットキャッチ」の係止嵌合部１３１、１３２が瞬時に凹凸嵌合して、２枚１組のセパレートタイプの扉体（化粧部材１１）が連結されたり、分離することになる。
【００７０】
以上説明したごとく、本例によればハニカムコアドアを採用しているので軽量で、圧縮強度、吸音声、遮音性に優れたクロゼット収納具１を得ることが出来る。
【００７１】
また、耐摩耗性塗膜や摺動円滑性塗膜を塗布した移動回転キャスターや吊レール１５及び床上レール１６を使用しているため、摺動性や耐摩耗性、ひいては耐久性に優れたクロゼット収納具１を得ることが出来る。なお、クロゼットは、図２に示すごとく、横長であって、扉体を多く有するものである。
【００７２】
そして、寸法安定性に優れた集成材やこれを芯材とするランバー合板を扉体に使用しているため、寸法変化率が小さく、反りや歪みの少ないクロゼット用ドアを得ることが出来る。そのため、本例によれば、装飾性及び耐久性に優れ、吸音性や遮音性などの諸物性に優れたクロゼット収納具１を得ることが出来る。
【実施例２】
【００７３】
本例は、実施例１の扉体に代えて、図４に示すごとく、カーテン２及びシングルの吊レール１５及びランナー３４（図３左下段図参照）を使用したものである。
【００７４】
カーテン２としては、「よこ糸」に伸縮性のナイロン糸、「たて糸」にガラス繊維の構成糸を用いた、比較的厚地の混紡織物により構成した。その他の構成は実施例１と同様とした。
【００７５】
なお、図２の下段図に示すごとく、２枚１組のカーテン２は、その略中央部の中央端部において、着脱自在な磁製連結体１７をそれぞれ有している。
【００７６】
したがって、本例によれば、実施例１のクロゼット用ドアよりも更に軽量で、伸縮性、装飾性に優れたクロゼット収納具２０を提供することが出来る。
【実施例３】
【００７７】
本例は、図５に示すごとく、実施例２におけるカーテン２に代えて、レース用カーテン２２１を交互（間欠的にの意）に配設したカーテン２を使用したクロゼット収納具２０を提供するものである。
【００７８】
また、カーテン２には、クロゼット収納具２０の各季節の洋服をクロゼット内のハンガーに懸架した場合には、その洋服の季節に対応した花柄を印刷したプリント布を使用した。その他の構成は、実施例１及び実施例２と同様とした。
【００７９】
したがって、本例によれば、季節ごとの洋服がクロゼット内のハンガーに懸架された位置のカーテン２のみを開閉することにより、必要な洋服を出入れすることが可能なクロゼット収納具２０を得ることが出来る。
【図面の簡単な説明】
【００８０】
【図１】本発明の実施例に係るクロゼット収納具の一部斜視図。
【図２】本発明の実施例に係るクロゼット収納具の一部正面図。
【図３】本発明において使用する諸道具の説明図。
【図４】本発明の実施例２に係るクロゼット収納具の斜視図及びこれに対応する説明図。
【図５】本発明の実施例３に係るクロゼット収納具の斜視図及びこれに対応する説明図。
【図６】特許文献２に係る「伸縮性可能ドア」の説明図。
【図７】特許文献３に係る「カーテン」の斜視図。
【図８】特許文献４に係る「クロゼット」の斜視図。
【符号の説明】
【００８１】
１、２０    クロゼット収納具
１１、２２  化粧部材
１２        ピアノ蝶番
１３、１３０、３４  ランナー
１５        吊レール
１６        床上レール
１７        磁製連結体
【図１】
2005054521.tif 000003
【図２】
2005054521.tif 000004
【図３】
2005054521.tif 000005
【図４】
2005054521.tif 000006
【図５】
2005054521.tif 000007
【図６】
2005054521.tif 000008
【図７】
2005054521.tif 000009
【図８】
2005054521.tif 000010